(57)【要約】      （修正有）【課題】簡単な構造で取扱い性に優れ、脱臭及び塵埃除去を可能とし、工場等に於ける作業環境の向上を図れ、また回転羽根の手入れが簡単で取扱い性に優れ、安価で経済性に優れ且つ実用的な送風装置用フィルタを提供する。【解決手段】溶剤を添着させたシート状の繊維素材を円筒状に形成した送風装置用フィルタ１００をその両端開口縁部１１０ａ，１１０ｂに弾性体を設け、送風装置の回転羽根を囲繞するファンガードに対して、ファンガードの背面側全体及び前面側の外周部を覆うように着脱自在に装着可能とした。【選択図】図１
0003219897.tif 000002
【実用新案登録請求の範囲】
【請求項１】
脱臭機能及び集塵機能を有するシート状の繊維素材を円筒状に形成するともにその両端開口縁部に弾性体を設け、
送風装置の回転羽根を囲繞するファンガードに対して、このファンガードの背面側全体及び前面側の外周部を覆うよう上記弾性体を介して着脱自在に装着可能としたことを特徴とする送風装置用フィルタ。
【請求項２】
上記シート状の繊維素材には溶剤を添着させてあることを特徴とする請求項１記載の送風装置用フィルタ。
【請求項３】
上記溶剤はアルカリ性溶剤または酸性溶剤であることを特徴とする請求項２記載の送風装置用フィルタ。
【請求項４】
上記弾性体は平ゴムであり、上記開口縁部全周にわたって設けられていることを特徴とする請求項１、請求項２または請求項３記載の送風装置用フィルタ。
【考案の詳細な説明】
【技術分野】
【０００１】
本考案は、空気中に含まれる臭気成分や微細な塵埃を取り除く送風装置用フィルタに関し、特に切削機械が設置された工場等に於いて古くなった切削油やクーラントに起因する悪臭・オイルミストや工場等内に浮遊する塵埃を除去するための送風装置用フィルタに関する。
【背景技術】
【０００２】
従来、切削機械等が設置された工場に於いては、工場内の換気や通気を良くするために例えば業務用の送風装置が置かれている。送風装置には色々な種類があるものの、家庭用の扇風機を大型化したような回転羽根方式のものが広く用いられている。
【０００３】
この回転羽根方式のものにあっては、駆動時に大きな風の流れが生じるので、工場内に浮遊する塵埃や臭気並びにオイルミストは風下側へ流され、風下側で作業等をしている者に悪影響を与える虞があった。このような悪影響を防止・軽減するため、作業者等が防塵マスクやメガネを着用したり、或いは送風装置に防塵フィルタや消臭フィルタを取付けて対処していた。
【０００４】
下記特許文献１には、使用中にファン駆動部に扇風機周囲の埃等が直接吸い込まれるようなことがなくメンテナンス性とデザイン性に優れた送風装置用フィルタが開示されている。このものにあっては、送風装置たる扇風機の支柱部周囲に配置される切込み状の支柱取付部を備え、その袋状の開口縁がファンガードの外周縁にフィルタ係止部材を介して背面側から係止され、ファンガードの背面側に膨出してファン駆動部を含む所定容積の清浄空間を形成させてある。これにより、ファンガードのサイズにかかわらず高い集塵効果が得られるとともに、扇風機使用中にファン駆動部に埃などが直接吸い込まれることがなく、メンテナンス性に優れ、その取付けが容易で使用中の外観も良好であることを謳ったものである。
【０００５】
下記特許文献２には、送風をフィルタ後方へ吹き抜けさせて羽根付近で空気を滞留させることなく順次空気清浄を行ない、且つ送風中に浮遊する塵埃を吹き抜けさせずに効率よく捕集する扇風機用集塵フィルタが開示されている。
【０００６】
下記特許文献３には、空気に含まれる臭気成分やたばこ臭、ノネナール臭を取り除くことができ、扇風機から清浄な空気を送気することができる扇風機用の脱臭リングが開示されている。この脱臭リングは、空気に含まれる臭気成分を吸着する活性炭とバインダーとを混合した混合物を薄板状に成形することから作られ、内周縁部及び外周縁部と、内周縁部に囲繞されて扇風機の螺子パイプに挿脱可能に挿入する中央開口と、ハニカム形状に成形されて内周縁部から外周縁部に向かって径方向へ一連に並ぶ複数の多孔質ハニカム枠と、それらハニカム枠に囲繞されて内周縁部から外周縁部に向かって径方向へ一連に並ぶ複数の通気孔とを有し、扇風機の後方羽根ガードとガード締付ナットとの間に着脱可能に取り付けられるものである。
【０００７】
下記特許文献４には、送風機に消臭及び殺菌機能を備えた空気清浄器が開示されている。このものは、送風機の空気吸込口または排出口のどちらか一方または両方に殺菌剤含浸フィルタを設け、送風機の空気吸込口または排出口のどちらか一方に活性炭シートを設け、殺菌剤含浸フィルタに、殺菌剤と不揮発性の液体とを含む殺菌液を含浸させるように構成してある。これにより、送風機の空気吸込口または排出口のどちらか一方または両方に不織布及び活性炭シートを設けるのみで、装置内に吸い込まれる空気の消臭及び除菌を行うようにしたものである。
【０００８】
下記特許文献５には、空気に含まれる臭気成分やたばこ臭、ノネナール臭を取り除くことができる扇風機用脱臭具が開示されている。このものは、空気に含まれる臭いを除去する所定面積の脱臭フィルタと、脱臭フィルタを支持する支持フレームとから形成されており、脱臭フィルタの第１側方エリアと第２側方エリアとの間には、支持フレームの内側フレームに囲繞されてモーターケースが位置するスペースが画成され、脱臭フィルタの上方エリアに延びる内側フレームには、モーターケースに着脱可能に固着されるメカニカルファスナが取り付けられているものである。
【先行技術文献】
【特許文献】
【０００９】
【特許文献１】実用新案登録第３１８０２６４号公報
【特許文献２】特許第３７８９４１８号公報
【特許文献３】特開２０１５−２９８７６号公報
【特許文献４】特開２０１６−２０８５号公報
【特許文献５】特開２０１６−９８６９９号公報
【考案の開示】
【考案が解決しようとする課題】
【００１０】
しかしながら、特許文献１に開示されたものは、集塵機能に着目したものであり、脱臭機能は考慮されてない。また、フィルタが背面側に膨出する特殊な構造であり、そのためのスペースを要すものである。
【００１１】
特許文献２に開示されたものは、同様に集塵機能に着目したものであり、脱臭機能は考慮されてない。また、フィルタを前面側へ膨出する特殊な構造であり、そのためのスペースを要すものである。
【００１２】
特許文献３に開示されたものは、消臭機能に着目したものであり、浮遊する塵埃の除去は考慮されていない。また、特殊な構造を呈しており取扱い性に難があるものである。さらには、回転羽根の汚れ防止については、全く考慮されてないものである。
【００１３】
特許文献４に開示されたものは、集塵及び消臭機能を考慮したものではあるが、特殊な構造となっており、使い勝手の面で難があるものである。また、回転羽根の汚れ防止については、全く考慮されてないものである。
【００１４】
特許文献５に開示されたものは、脱臭機能に着目したものであり、集塵機能については考慮されておらず、塵埃で目詰まりして機能低下を招く虞もある。また、特殊な構造となっており、使い勝手の面で難があるものである。さらには、回転羽根の汚れ防止については、全く考慮されてないものである。
【００１５】
本考案は、上記事情を考慮してなされたもので、簡単な構造で取扱い性に優れ、脱臭及び塵埃の除去を可能とし、工場等に於ける作業環境の向上を図れる送風装置用フィルタを提供することを目的とする。
また、本考案は、回転羽根の手入れが簡単で取扱い性に優れる送風装置用フィルタを提供することを目的とする。
さらに、本考案は、安価で経済性に優れ且つ実用的な送風装置用フィルタを提供することを目的とする。
【課題を解決するための手段】
【００１６】
本考案は、上記目的を達成するために以下の通りの構成とすることを特徴とする。
【００１７】
（１）  脱臭機能及び集塵機能を有するシート状の繊維素材を円筒状に形成するともにその両端開口縁部に弾性体を設け、送風装置の回転羽根を囲繞するファンガードに対して、このファンガードの背面側全体及び前面側の外周部を覆うよう上記弾性体を介して着脱自在に装着可能とする構成としたことを特徴とする。
【００１８】
（２）  上記（１）の構成にあって、上記シート状の繊維素材には溶剤を添着させたことを特徴とする。
【００１９】
（３）  上記（２）の構成にあって、上記溶剤はアルカリ性溶剤または酸性溶剤であることを特徴とする。
【００２０】
（４）  上記（１）、（２）または（３）の構成にあって、上記弾性体は平ゴムであり、上記開口縁部全周にわたって設けられる構成としたことを特徴とする。
【００２１】
上記構成によれば、簡単な構成・構造で取扱い性に優れ、脱臭効果及び塵埃除去効果を期待できるので、工場等に於ける作業環境及び安全衛生の向上を図れるものである。
【００２２】
また、上記構成によれば、回転羽根にオイルミストや塵埃が付着する虞が解消されるので、回転羽根の汚れ防止を図れ、手入れが簡単で取扱い性に優れるものである。
【００２３】
さらに、上記構成によれば、簡単な構成・構造で手間を要すことなく実現できるので、安価で経済性に優れ且つ実用的な送風装置用フィルタを提供することができるものである。
【考案の効果】
【００２４】
本考案によれば、簡単な構造で取扱い性に優れ、脱臭及び塵埃の除去を可能とし、工場等に於ける作業環境や安全衛生の向上を図れるものである。また、本考案によれば、回転羽根が汚れ難くなり手入れが簡単で取扱い性に優れるという効果を奏するものである。
【００２５】
しかも、本考案によれば、安価で経済性に優れ且つ実用的な送風装置用フィルタを提供可能となるものである。
【図面の簡単な説明】
【００２６】
【図１】本考案の一実施形態に係わる送風装置用フィルタを模式的に示す図である。
【図２】同実施形態に係わり、送風装置用フィルタを平面展開したときの状態を模式的に示す図である。
【図３】同実施形態に係わり、送風装置用フィルタが装着された状態の送風装置の全体を前面側から概略的に示す図である。
【図４】同実施形態に係わり、送風装置用フィルタが装着された状態の送風装置の全体を背面側から概略的に示す図である。
【考案を実施するための形態】
【００２７】
以下、本考案の一実施形態につき、図を参照して説明する。
【００２８】
本実施形態に係わる送風装置用フィルタ１００（以下、「フィルタ１００」と称す。）は、業務用の送風装置２００に着脱自在に装着されるものであり、脱臭機能及び集塵機能を有するものである。即ち、アルカリ性の溶剤を添着させた矩形のシート状の不織布の繊維素材１１０を、幅（Ｗ）２６０ｍｍ、直径（φ）５２５ｍｍの円筒状となるように形成してある。ここで、繊維素材１１０の厚みはおおよそ平均で３．０ｍｍであるが、これに限定される訳ではない。
なお、本実施形態では約１μｍ〜５０μｍの塵埃を捕捉可能な例えばポリエステルといった化学繊維またはガラス繊維の不織布を用いているが、天然繊維の不織布であってもよいことは勿論である。また、不織布に限らず織布であっても良いことは勿論である。さらには、繊維素材に添着させるアルカリ性溶剤として水酸化マグネシウムを主体としたものを用いているが、これに限らないことは勿論である。
【００２９】
フィルタ１００のその両端開口縁部１１０ａ，１１０ｂの夫々には、伸縮自在な弾性体１２０，１３０が設けられている。
【００３０】
弾性体１２０は例えばリング状の８コールの平ゴムであり、一方の開口縁部１１０ａを内側に折り曲げて縫製されることにより生じるチューブ状の空間内を移動自在に遊挿されているものである。ここで、弾性体１２０の外周囲の長さＬ１は、開口縁部１１０ａの外周囲の長さＭ１より小となるよう（即ちＬ１＜Ｍ１の関係）構成されており、当該チューブ状の空間内を伸縮自在となるものである。
なお、本実施形態では８コールの平ゴムを使用しているが、これに限らず他に１２コールの平ゴム等適宜変更しても良いことは勿論である。
【００３１】
同様に、弾性体１３０もリング状の８コールの平ゴムであり、他方の開口縁部１１０ｂを内側に折り曲げて縫製されることにより生じるチューブ状の空間内を移動自在に遊挿されているものである。ここで、弾性体１３０の外周囲の長さＬ２は、開口縁部１１０ｂの外周囲の長さＭ２より小となるよう（即ちＬ２＜Ｍ２の関係）構成されており、当該チューブ状の空間内を伸縮自在となるものである。
なお、本実施形態では８コールの平ゴムを使用しているが、これに限らず他に１２コールの平ゴム等適宜変更しても良いことは勿論である。
【００３２】
さて、フィルタ１００が装着される送風装置２００は、台座部２１０、台座部２１０に立設された支柱部２２０、支柱部２２０の上部に設けられたモータ部２３０、モータ部２３０に回転駆動させられる複数の回転羽根２４０及び回転羽根２４０を囲繞するファンガード２５０とから構成されている。而して送風装置２００の回転羽根２４０の後方に位置するように、ファンガード２５０にその背面側から前面側に指向するよう着脱自在にフィルタ１００を装着することになる。
【００３３】
即ち、フィルタ１００は、送風装置２００の回転羽根２４０を囲繞するファンガード２５０に対して、ファンガード２５０の背面側全体及び前面側の外周部を覆うよう弾性体１２０，１３０を介して着脱自在に装着することになる。装着時、一方の弾性体１２０はファンガード２５０の最外周部から前面部を被覆押圧するよう取着され、他方の弾性体１３０はモータ部２３０の後部外周囲を被覆押圧するようにして取着されるものである。
【００３４】
上記構成につき、その作用を以下に述べる。
【００３５】
切削機械等が設置された工場内の換気や通気を良くするために、フィルタ１００が装着された送風装置２００を設置し回転羽根２４０を回転駆動すると、ファンガード２５０の後方から前方に向けて風の流れが生じて換気・通気が行われることになる。このとき、古くなった切削油やクーラントに起因する悪臭やオイルミスト並びに工場等内に浮遊する塵埃は、フィルタ１００により除去されることになる。
【００３６】
悪臭の多くは油が酸化した酸性油（酸性ガス）に起因するものなので、アルカリ性の溶剤を添着した繊維素材１１０が、ファンガード２５０の後方から流入してくる悪臭を吸着し脱臭することになる。そして、脱臭された状態の気体が前方へ送出されることになる。
【００３７】
また、ファンガード２５０の後方から流入してくる塵埃は繊維素材１１０に捕捉され繊維素材１１０を通過することができなくなる。そして、塵埃が除去された状態の気体が前方へ送出されることになる。
【００３８】
斯様にして悪臭の脱臭及びオイルミストや塵埃の除去が可能となるので、従来のように回転羽根２４０が油や塵埃が付着することを防止でき、手入れが容易になるものである。
【００３９】
フィルタ１００の汚れが酷くなってきた場合は、送風装置２００に対する弾性体１２０，１３０の取直状態を解除してフィルタ１００を取外して新たなフィルタに交換すればばよい。
【００４０】
上記実施形態によれば、簡単な構成・構造で取扱い性に優れ、脱臭効果及び塵埃除去効果を期待でき、工場等に於ける作業環境及び安全衛生の改善・向上を図れるものである。ここで、ファンガード２５０の前方に送出される気体は、消臭ではなく脱臭されたものであるので、空気清浄性に優れるものである。また、回転羽根２４０の汚れ防止を図れるので、手入れが簡単で取扱い性に優れるものである。
【００４１】
さらに、上記実施形態によれば、安価で経済性に優れ且つ実用的な送風装置用フィルタを提供することができるものである。
【００４２】
本考案は上記実施形態に限定されることなく、上記実施形態にあっては弾性体１２０，１３０に関しＬ１とＬ２は略同じ長さとしてあるが、ファンガード２５０の背面側に取直される弾性体の長さについては、ファンガード２５０の前面側に取着される弾性体よりも短くするよう構成してもよいものである。
【００４３】
また、添着させる溶剤としてアルカリ性溶剤を用いたが、これに限らずアルカリ化に起因する臭気等については酸性溶剤が有効であり、脱臭効果に寄与するものであればアルカリ性、酸性または中性の溶剤を適宜変更して用いて良いことは勿論である。要はその趣旨を逸脱しない限り種々の変形が可能なことは勿論である。
【産業上の利用可能性】
【００４４】
本考案の送風装置用フィルタはシート状の繊維素材であるので、円筒状に形成することなくシート状そのままの状態或いは他の形状に形成すれば、回転羽根方式の送風装置に限らず、天井設置型や壁面設置型といったようなエアコンのような空気洗浄機等のフィルタにも適用でき、ますます市場の拡大が期待できるものである。
【符号の説明】
【００４５】
１００              …送風装置用フィルタ
１１０ａ，１１０ｂ  …開口縁部
１２０，１３０      …弾性体
２００              …送風装置
２４０              …回転羽根
２５０              …ファンガード
【図１】
0003219897.tif 000003
【図２】
0003219897.tif 000004
【図３】
0003219897.tif 000005
【図４】
0003219897.tif 000006